(57)【要約】【課題】簡易且つ安価にワイピング動作の際のノズル抜け誘発を抑制することができるインクジェット式記録装置を提供する。【解決手段】複数のノズルの開口端が配列されたノズル面を有して該ノズルから記録媒体に水性インクを噴射するインクジェットヘッドと、上記ノズル面とワイプ部材とを当接させて上記ノズル面を払拭するワイピング動作を実行するワイピング装置と、を備え、上記水性インクに、オレイン酸、及び、該オレイン酸を乳化して水中に分散させる分散剤、が添加されている、インクジェット式記録装置を採用する。【選択図】図４
2011201220.tif 000002
【特許請求の範囲】
【請求項１】
複数のノズルの開口端が配列されたノズル面を有して該ノズルから記録媒体に水性インクを噴射するインクジェットヘッドと、
前記ノズル面とワイプ部材とを当接させて前記ノズル面を払拭するワイピング動作を実行するワイピング装置と、を備え、
前記水性インクに、オレイン酸、及び、該オレイン酸を乳化して水中に分散させる分散剤、が添加されていることを特徴とするインクジェット式記録装置。
【請求項２】
前記分散剤は、オレイン酸カリウム、または、オレイン酸ナトリウム、または、エタノールであることを特徴とする請求項１に記載のインクジェット式記録装置。
【請求項３】
前記水性インクに、前記オレイン酸が０．０５ｗｔ％以上３．００ｗｔ％以下、前記分散剤が０．０５ｗｔ％以上３．００ｗｔ％以下、添加されていることを特徴とする請求項２に記載のインクジェット式記録装置。
【請求項４】
前記ノズル面は、前記ノズルが所定方向に配列されたノズル列を複数有しており、
前記ノズル列のうち少なくともいずれか一列から噴射される前記水性インクに、前記オレイン酸及び分散剤、が添加されていることを特徴とする請求項１〜３のいずれか一項に記載のインクジェット式記録装置。
【請求項５】
前記ノズル面は、前記ノズルが所定方向に配列されたノズル列を複数有しており、
前記ワイピング動作の際に前記ワイプ部材が当接する最先の前記ノズル列から噴射される前記水性インクに、前記オレイン酸及び分散剤、が添加されていることを特徴とする請求項１〜４のいずれか一項に記載のインクジェット式記録装置。
【請求項６】
前記ノズル面は、前記ノズルが所定方向に配列されたノズル列を、色調の異なるインク種毎に複数有しており、
ブラックの色調に対応する前記ノズル列から噴射される前記水性インクに、前記オレイン酸及び分散剤、が添加されていることを特徴とする請求項１〜５のいずれか一項に記載のインクジェット式記録装置。
【発明の詳細な説明】
【技術分野】
【０００１】
本発明は、インクジェット式記録装置に関する。
【背景技術】
【０００２】
インクジェット式記録装置では、良好な噴射特性を維持または回復させるため、インクジェットヘッド（以下、記録ヘッドと称する場合がある）のメンテナンス処理を定期的に行っている。
このメンテナンス処理としては、例えば、記録ヘッドのノズル面を払拭（ワイピング）することでノズル近傍に付着したインクやゴミ、紙塵等を除去したり、ノズルのメニスカスを破壊してメニスカスを再調整させるパージ処理を行うワイピング動作がある。
【０００３】
特許文献１には、長期に亘り安定したワイピング性能を維持するべく、撥水処理をしたワイプ部材が開示されている。
特許文献２には、記録ヘッドのノズル周囲のフェイス（ノズル面）の撥水性の劣化対策として、該フェイスのみを払拭するワイプ部材に撥水性のグリセリンを塗布できるようなメカ構造が開示されている。
【先行技術文献】
【特許文献】
【０００４】
【特許文献１】特開２００６−１５９７３０号公報
【特許文献２】特開２００７−１６０５４９号公報
【発明の概要】
【発明が解決しようとする課題】
【０００５】
しかしながら、上述したような従来技術には、以下のような問題が存在する。
特許文献１では、ワイプ部材に撥水処理をしても長期使用の結果、撥水性が劣化し、ワイプ部材にインクが付着して、それが増粘、固化して堆積してしまう場合があり、ワイピング動作の際にノズルからインクを引き出して、所謂ノズル抜けを誘発させてしまう虞がある。
また、特許文献２では、ワイプ部材に撥水性のグリセリンを塗布するメカ構造を別途設けなければならず、コストや設置スペースの面、ワイピング動作の効率化の面で問題がある。
【０００６】
本発明は、上記問題点に鑑みてなされたもので、簡易且つ安価にワイピング動作の際のノズル抜け誘発を抑制することができるインクジェット式記録装置を提供することを目的としている。
【課題を解決するための手段】
【０００７】
上記の課題を解決するために、本発明は、複数のノズルの開口端が配列されたノズル面を有して該ノズルから記録媒体に水性インクを噴射するインクジェットヘッドと、上記ノズル面とワイプ部材とを当接させて上記ノズル面を払拭するワイピング動作を実行するワイピング装置と、を備え、上記水性インクに、オレイン酸、及び、該オレイン酸を乳化して水中に分散させる分散剤、が添加されている、インクジェット式記録装置を採用する。
このような構成を採用することによって、本発明では、水に難溶のオレイン酸を、分散剤を用いて乳化し、水性インクの溶媒中（水中）に分散させる。インク中に分散したオレイン酸は、インク水分が蒸発すると単分子膜に近い液体油膜として析出して、ワイプ部材の表面もしくはワイプ部材に付着しているインク表面に残りやすい。オレイン酸は、親油性かつ撥水性であるため、ノズル面をワイピングした時にノズル内部のノズル近傍にあるインクを引き出すことはないため、ノズル抜けが誘発され難くなる。
さらに、分散剤を用いることで、オレイン酸の水性インク中における分散安定化の作用がある。オレイン酸は、水中での溶解性や分散安定性が低く、例えば植物油を用いたドレッシングのように分離しやすい。このため、オレイン酸を添加したインクの消費期限は、数分〜数ヶ月程度と短くなってしまう。そこで、分散剤を用いて、オレイン酸を乳化して水中に安定して分散させることで、インク消費期限を長く延ばすことができる。
【０００８】
また、本発明においては、上記分散剤は、オレイン酸カリウム、または、オレイン酸ナトリウム、または、エタノールであるという構成を採用する。
オレイン酸カリウム、オレイン酸ナトリウム、エタノールは、オレイン酸とも水とも溶解に関して相性がいいので、分散剤としてオレイン酸を乳化して水中に安定して分散させることができ、インク消費期限を長く延ばすことができる。
【０００９】
また、本発明においては、上記水性インクに、上記オレイン酸が０．０５ｗｔ％以上３．００ｗｔ％以下、上記分散剤が０．０５ｗｔ％以上３．００ｗｔ％以下、添加されているという構成を採用する。
オレイン酸は、０．０５ｗｔ％未満だと、ノズル抜け誘発の十分な抑制作用が発現し難くなる。一方、オレイン酸は、３．００ｗｔ％を超えると、分散安定性が低下し、ノズル抜け誘発の抑制作用に悪影響を及ぼす。
上記分散剤は、０．０５ｗｔ％未満だと、オレイン酸の分散安定性が低下し、ノズル抜け誘発の抑制作用に悪影響を及ぼす。一方、上記分散剤は、３．００ｗｔ％を超えると、オレイン酸の油膜が安定せずに、ノズル抜け誘発の十分な抑制作用が発現し難くなる。
【００１０】
また、本発明においては、上記ノズル面は、上記ノズルが所定方向に配列されたノズル列を複数有しており、上記ノズル列のうち少なくともいずれか一列から噴射される上記水性インクに、上記オレイン酸及び分散剤、が添加されているという構成を採用する。
このような構成を採用することによって、本発明では、オレイン酸が分散した水性インクを噴射するノズル列がノズル面に少なくとも一列あれば、ワイピング動作の度にワイプ部材が当該インクに触れて撥水性が付与されるため、他のノズル列からのノズル抜けの誘発を抑制することができる。
【００１１】
また、本発明においては、上記ノズル面は、上記ノズルが所定方向に配列されたノズル列を複数有しており、上記ワイピング動作の際に上記ワイプ部材が当接する最先の上記ノズル列から噴射される上記水性インクに、上記オレイン酸及び分散剤、が添加されているという構成を採用する。
このような構成を採用することによって、本発明では、ワイピング動作をする際、ワイプ部材が、オレイン酸が分散した水性インクを噴射するノズル列と最先に触れて撥水性が付与されるため、後に触れる他のノズル列からのノズル抜けの誘発を抑制することができる。
【００１２】
また、本発明においては、上記ノズル面は、上記ノズルが所定方向に配列されたノズル列を、色調の異なるインク種毎に複数有しており、ブラックの色調に対応する上記ノズル列から噴射される上記水性インクに、上記オレイン酸及び分散剤、が添加されているという構成を採用する。
このような構成を採用することによって、本発明では、ブラックの色調の水性インクは使用頻度が高いためミストとなって他の色調のインクよりもノズル面に付着しやすいが、当該インクにオレイン酸が分散して添加されているので、ワイピング動作の度にワイプ部材に撥水性が付与されやすく、また、ノズル面にも撥水性が付与されやすくなる。
【図面の簡単な説明】
【００１３】
【図１】本発明の実施形態におけるプリンターの構成を示す斜視図である。
【図２】本発明の実施形態における記録ヘッドに設けられたノズルの配列を示す図である。
【図３】本発明の実施形態における記録ヘッドの内部構成を示す部分断面図である。
【図４】本発明の実施形態におけるワイピング動作の際のノズル面の様子を示す図である。
【発明を実施するための形態】
【００１４】
以下、本発明に係るインクジェット式記録装置の各実施形態について、図を参照して説明する。なお、以下の説明に用いる各図面では、各部材を認識可能な大きさとするため、各部材の縮尺を適宜変更している。本実施形態では、本発明に係るインクジェット式記録装置として、インクジェット式プリンター（以下、プリンターと称する）を例示する。
【００１５】
図１は、本発明の実施形態におけるプリンター１の構成を示す斜視図である。
同図に示すように、プリンター１は、記録ヘッド（インクジェットヘッド）２を搭載すると共にインクカートリッジ３を着脱可能に装着するキャリッジ４と、記録ヘッド２の下方に配設され記録紙（記録媒体）６が搬送されるプラテン５と、キャリッジ４を記録紙６の紙幅方向に移動させるキャリッジ移動機構７と、記録紙６を紙送り方向に搬送する紙送り機構８とを有する構成となっている。加えて、プリンター１は、当該プリンター１全体の動作を制御する制御装置ＣＯＮＴを有している。なお、上記紙幅方向とは、主走査方向（ヘッド走査方向）である。上記紙送り方向とは、副走査方向（主走査方向に直交する方向）である。
【００１６】
インクカートリッジ３としては、本実施形態のようにキャリッジ４に装着するものには限らず、プリンター１の筐体側に装着してインク供給チューブを介して記録ヘッド２に供給するタイプのものを採用してもよい。インクカートリッジ３は、例えばイエロー（Ｙ）、マゼンタ（Ｍ）、シアン（Ｃ）、ブラック（Ｋ）などの異なる色のインクが収容されている。
【００１７】
ガイドロッド９は、主走査方向に架設された支持部材である。キャリッジ４は、このガイドロッド９に支持された状態で取り付けられている。このキャリッジ４は、キャリッジ移動機構７によりガイドロッド９に沿って主走査方向に移動するようになっている。リニアエンコーダ１０は、キャリッジ４の主走査方向上の位置を検出する。この検出信号は、位置情報として制御装置ＣＯＮＴに送信されるようになっている。制御装置ＣＯＮＴは、このリニアエンコーダ１０からの位置情報に基づいて記録ヘッド２の走査位置を認識し、記録ヘッド２による記録動作（吐出動作）等を制御するようになっている。また、制御装置ＣＯＮＴは、キャリッジ４の移動速度を可変制御可能な構成となっている。
【００１８】
図２は、本発明の実施形態における記録ヘッド２に設けられたノズル１７の配列を示す図である。
同図に示すように、記録ヘッド２は、インクを噴射する複数のノズル１７が設けられたノズル面（ノズル形成面）２１Ａを有する。ノズル面２１Ａには、複数のノズル１７が副走査方向に配列されたノズル列１６が複数形成されている。各ノズル列１６においては、例えば異なる色のインクを吐出可能になっている。本実施形態ではインクの色に対応して２列づつ（１６（Ｋ），１６（Ｍ），１６（Ｃ），１６（Ｙ））が計８列設けられている。１つのノズル列１６は、例えば、１８０個のノズル１７によって構成されている。
【００１９】
図３は、本発明の実施形態における記録ヘッド２の内部構成を示す部分断面図である。
同図に示すように、記録ヘッド２は、ヘッド本体１８と、ヘッド本体１８に接続された流路形成ユニット２２とを備えている。流路形成ユニット２２は、振動板１９と、流路基板２０と、ノズル基板２１とを備えると共に、共通インク室２９と、インク供給口３０と、圧力室３１とを形成する。さらに、流路形成ユニット２２は、ダイヤフラム部として機能する島部３２と、共通インク室２９内の圧力変動を吸収するコンプライアンス部３３とを備える。ヘッド本体１８には、固定部材２６と共に駆動ユニット２４を収容する収容空間２３と、インクを流路形成ユニット２２に案内する内部流路２８とが形成される。
【００２０】
上記構成のピエゾ式の記録ヘッド２によれば、ケーブル２７を介して駆動ユニット２４に駆動信号が入力されると、圧電素子２５が伸縮する。これにより、振動板１９がキャビティに接近する方向及び離れる方向に変形（移動）する。このため、圧力室３１の容積が変化し、インクを収容した圧力室３１の圧力が変動する。この圧力の変動によって、ノズル１７から、インクが噴射される。
【００２１】
図１に戻り、記録ヘッド２の移動範囲のうちプラテン５の外側の領域には、記録ヘッド２の走査起点となるホームポジションが設定されている。このホームポジションには、メンテナンスユニット（ワイピング装置）１１が設けられている。メンテナンスユニット１１は、印字動作以外で記録ヘッド２をキャップ部材１２でキャッピングしてインクの蒸発を抑制する保湿動作と、記録ヘッド２の各ノズル１７からインクをキャップ部材１２に予備噴射させることで増粘インクによるノズル１７の目詰まり防止やノズル１７のメニスカスを調整して記録ヘッド２から正常にインクを噴射させるフラッシング動作と、キャップ部材１２で記録ヘッド２をキャッピングした後に不図示の吸引ポンプを駆動させて各ノズル１７から粘性が高くなったインクや付着したゴミ等を強制吸引してメニスカスを調整し、記録ヘッド２から正常にインクを噴射させる吸引動作（ヘッドクリーニング）と、記録ヘッド２のノズル面２１Ａをワイパーブレード（ワイプ部材）１３で払拭（ワイピング）することでノズル１７近傍に付着したインクや増粘したインク等を除去したり、ノズル１７のメニスカスを破壊してメニスカスを再調整させるパージ処理を行うワイピング動作と、を実行する構成となっている。
【００２２】
続いて、記録ヘッド２から噴射するインクについて説明する。
本実施形態のインクは、超浸透性水性インクに関するものである。なお、超浸透性水性インクとしては、顔料インクや染料インクだけでなく、色素、金属微粒子、セラミック微粒子、半導体微粒子、樹脂のような機能性水性インクであってもよい。ここで、インクの超浸透とは、その表面張力がセルロース（紙）の臨界表面張力よりも低いことを指す。
また、この水性インクには、各種添加物が含まれていても良い。例えば、界面活性剤、保湿剤、ＰＨ調整剤、顔料、染料、色素、金属微粒子、セラミック微粒子、半導体微粒子、樹脂、有機溶剤、金属イオン、カール抑制剤、ブリード抑制剤、パドリング抑制剤、浸透調整剤、防腐剤、防カビ剤、溶解助剤、酸化防止剤、などが、用途に応じて複数種含まれていることが好まれる。  
本実施形態のインクは、この水性インクに、オレイン酸、及び、分散剤を添加している。
【００２３】
本実施形態のインクに用いられるオレイン酸は、セルロース（紙）の臨界表面張力よりも表面張力が低く、ＨＬＢ＝１の親油性で、撥水性を有する。セルロースの２０℃における臨界表面張力は、４０〜４５ｍＮ／ｍであり、オレイン酸の２０℃における表面張力は、３５ｍＮ／ｍである。オレイン酸は、常温で液体であり、析出しても固化しない。
本実施形態のインクに用いられるオレイン酸に似た特性を有する脂肪酸としては、リノール酸やリノレイン酸、などがある。オレイン酸は、その酸化安定性から他の脂肪酸よりも好ましく、オレイン酸は精製されたものであっても、オレイン酸を主成分とするオリーブ油のような植物油であっても良い。
【００２４】
本実施形態の分散剤には、ＨＬＢ＞１２の親水性のオレイン酸カリウムまたはオレイン酸ナトリウムを用いることができる。
親油性のオレイン酸だけでは、水にも水性インクにも安定して分散することは困難であるが、親水性のオレイン酸カリウム又はオレイン酸ナトリウムと同時に添加すると、親油性のオレイン酸を乳化させての安定分散が可能になり、オレイン酸の添加量を大幅に増加することができる。
【００２５】
また、本実施形態の分散剤には、エタノールを用いることができる。
親油性のオレイン酸だけでは、水にも水性インクにも安定して分散することは困難であるが、オレイン酸とも水とも溶解に関して相性のいいエタノールと同時に添加すると、親油性のオレイン酸を乳化させての安定分散が可能になり、オレイン酸の添加量を大幅に増加することができる。
本実施形態のインクに用いられるエタノールに似た特性を有するアルコールの種類としては、メタノール、エタノール、プロパノール等が上げられる。エタノールは、融点が７８℃と取扱いも容易であり、オレイン酸の溶解性に優れるため、他のアルコールよりも好ましい。
【００２６】
本実施形態のインクは、上記関係を満足していれば、オレイン酸と分散剤をインク製造の最初から添加しても良いし、従来から用いられている超浸透性の水性染料インクや水性顔料インクや機能性水性インクに、上記関係を有するオレイン酸と分散剤を後添加したものであっても良い。むしろ後添加の方が、インク全体のバランスを崩したり、再設計する必要がなく、高速印字時のサテライトを容易に低減することができるため好ましい。
【００２７】
本実施形態のプリンター１は、オレイン酸を含むインクを用いるため、熱によるオレイン酸の酸化の懸念が少ないピエゾ式のインクジェットヘッドを用いることが好まれる。なお、オレイン酸の添加量が少なければサーマル式のインクジェットヘッドを用いても良いが、オレイン酸の酸化によるノズル詰りの懸念の少ないピエソ式であることがより好まれる。
【００２８】
続いて、図４を参照して、上記構成のプリンター１のワイピング動作の際のノズル抜け誘発抑制に係る作用及び効果について説明する。
図４は、本発明の実施形態におけるワイピング動作の際のノズル面２１Ａの様子を示す図である。
【００２９】
本実施形態のインクは、水性インクに、水に難溶のオレイン酸を、分散剤を用いて乳化し、水性インクの溶媒中（水中）に分散させたものである。インク中に分散したオレイン酸は、インク水分が蒸発すると単分子膜に近い液体油膜として析出して、ワイパーブレード１３の表面もしくはワイパーブレード１３に付着しているインク表面に残りやすい。オレイン酸は、親油性かつ撥水性であるため、ノズル面２１Ａをワイピングした時にノズル１７内部のノズル近傍にあるインクを引き出すことはないため、ノズル抜けが誘発され難くなる。すなわち、本実施形態によれば、ワイピング動作の度に、ワイパーブレード１３がオレイン酸と触れることで撥水性が付与されるため、インクの堆積によるワイパーブレード１３の撥水性の劣化を抑制することができる。また、このワイパーブレード１３がノズル面２１Ａを払拭することで、ノズル面２１Ａに油膜を転写して撥水性を付与することもできる。
【００３０】
なお、上記ノズル抜け誘発抑制の作用を発現させるためには、全てのノズル列１６のインクにオレイン酸及び分散剤を添加する必要はなく、少なくとも一列のインクにオレイン酸及び分散剤を添加していれば良い。
例えば、ワイピング動作の際にワイパーブレード１３が当接する最先のノズル列１６（本実施形態ではノズル列１６（Ｙ））から噴射される水性インクに、オレイン酸及び分散剤、が添加されていれば、ワイピング動作をする際、ワイパーブレード１３が、オレイン酸が分散した水性インクを噴射するノズル列１６（Ｙ）と最先に触れて撥水性が付与されるため、後に触れる他のノズル列１６からのノズル抜けの誘発を抑制することができる。
また、例えば、ブラックの色調に対応するノズル列１６（Ｋ）から噴射される水性インクに、オレイン酸及び分散剤、が添加されていれば、ブラックの色調の水性インクは使用頻度が高いためミストとなって他の色調のインクよりもノズル面２１Ａに付着しやすいが、当該インクにオレイン酸が分散して添加されているので、ワイピング動作の度にワイパーブレード１３に撥水性が付与されやすく、また、ノズル面２１Ａにも撥水性が付与されやすくなる。
なお、ワイパーブレード１３に積極的に撥水処理をするべく、ワイパーブレード１３に向けて定期的にオレイン酸及び分散剤が添加されているインクを噴射してもよい。
【００３１】
本実施形態では、２０℃においてセルロースの臨界表面張力より表面張力が低いオレイン酸を用いている。このため、インク表面が、オレイン酸が析出した油膜で覆われても、吐出インクの１発目は、当該油膜を伴って吐出されるが、記録紙６への着弾後は、インク滴の表面に析出したオレイン酸が、速やかにセルロースへ浸透する。このため、記録紙６に着弾後は、インク全体の表面張力が支配的になり、インクの超浸透性を維持でき、インクの速乾性を維持できる。なお、吐出インクの２発目以降は油膜が形成されていないため、インクの浸透と蒸発を抑制することはない。
【００３２】
以上のように、本実施形態のプリンター１によれば、簡易且つ安価にワイピング動作の際のノズル抜け誘発を抑制することが可能となる。
【００３３】
［実施例］
以下、実施例により本発明の効果をより明らかにする。なお、本発明は、以下の実施例に限定されるものではなく、その要旨を変更しない範囲で適宜変更して実施することができる。
【００３４】
（顔料インクの製造方法）
インクは、文献（酒井真理、“ピエゾ方式インクジェットプリンティング技術とＰＸインク”  中部化学関係学協会支部連合秋季大会講演予稿集  ｐ７５、３４、（２００８））に記載されている、公知のＥＰＳＯＮ製のＰＸインクを用いて改良を行った。
なお、ＰＸインクについては、文献（（社）色材協会、金谷美春、他  “印刷インキ講座” p.51 （社）色材協会  （２００７））にも記載がある。
オレイン酸とオレイン酸カリウムと純水を、２：３：５の比率で攪拌および超音波混合し、オレイン酸分散液を作製した。作製した分散液を、ＥＰＳＯＮ製プリンターＰＸ−Ｂ５００に用いられているブラックの水性顔料インクに、２ｗｔ％添加し、攪拌および超音波分散を行った。なお、添加液に純水を加えているのは、インク添加前に水中でのオレイン酸の安定ミセル構造を形成させ、インク中でのオレイン酸の分散安定性を向上させるためである。
ＰＸ−Ｂ５００のインク（以下、通常ＰＸインクと称する場合がある）の表面張力は２７ｍＮ／ｍであり、作製したインク（以下、改良ＰＸインクと称する場合がある）の表面張力は２８ｍＮ／ｍであった。
【００３５】
（ノズル抜け誘発の確認方法）
作製したインクを、ＥＰＳＯＮ製プリンターＰＸ−Ｂ５００のブラック色のインクカートリッジに入れ、印字可能状態にした。ＥＰＳＯＮ製プリンターＰＸ−Ｂ５００で、ワイピング動作のみをできるように改造した。
ＰＸ−Ｂ５００に搭載されているヘッドクリーニングを行い、ノズル抜けチェックパターンでノズル抜け本数がゼロ本であることを確認した後、プリンターを１時間放置し、ワイピング動作を行いワイピング後のノズル抜け誘発本数を確認した。ノズル抜けは確率的な現象であるため、全て３回実験した平均の値を用いた。
【００３６】
表１は、インク組成と、オレイン酸入りインクを噴射するノズル列（符号○で示す）と、ワイピング後のノズル抜け誘発本数との関係を示す。
実施例１では、上記インク製造方法の手順に従って製造した改良ＰＸインクについて、上記確認方法に従ってノズル抜け誘発本数を確認した。
実施例２〜４では、上記インク製造方法の手順に従って製造した改良ＰＸインク（マゼンダ（Ｍ）、シアン（Ｃ）、イエロー（Ｙ））を一色ずつ対応するインクカートリッジに入れて、実施例１に従いノズル抜け誘発本数を確認した。
実施例５では、上記インク製造方法の手順に従って製造した改良ＰＸインク（ブラック（Ｋ）、マゼンダ（Ｍ）、シアン（Ｃ）、イエロー（Ｙ））を全色、対応するインクカートリッジに入れて、実施例１に従いノズル抜け誘発本数を確認した。
比較例１〜４では、インク組成を表１のように変更し、このインク製造方法の手順は、実施例１のインク製造方法の手順に従い、インクを作製した。ノズル抜け誘発本数は、実施例１と同じ確認方法を用いて確認した。なお、比較例２は、比較例１に用いたインクを１ヶ月放置したものを用いて、実施例１に従いノズル抜け誘発本数を確認した。
比較例５では、通常ＰＸインクを用いて、実施例１に従いノズル抜け誘発本数を確認した。
【００３７】
【表１】
2011201220.tif 000003
【００３８】
表１によれば、オレイン酸とオレイン酸カリウムはセットでノズル抜け誘発抑制の効果を発現することが分かる。また、表１によれば、ワイパーブレードが最初に当接するＹ色にオレイン酸があると、すべてのノズルでノズル抜け誘発本数がゼロ本となって、高いノズル抜け誘発抑制の効果があることが分かる。また、表１によれば、使用頻度が高くノズル抜けし易いＫ色にオレイン酸があると、すべてのノズルでノズル抜け誘発本数がゼロ本となって、高いノズル抜け誘発抑制の効果があることが分かる。また、表１によれば、添加するものがオレイン酸のみの場合、短期では比較例１のようにノズル抜け誘発抑制の効果があるが、分散安定性がないため比較例２のように１ヶ月放置するとノズル抜け誘発抑制の効果が無くなることが分かる。また、表１によれば、添加するものがオレイン酸カリウムだけでは、ノズル抜け誘発抑制の効果が無いことが分かる。
【００３９】
表２は、インク組成と、オレイン酸入りインクを噴射するノズル列（符号○で示す）と、ワイピング後のノズル抜け誘発本数との関係を示す。
実施例６〜１０では、分散剤をオレイン酸カリウムからエタノールに換えて、上記インク製造方法の手順に従って改良ＰＸインクを製造し、実施例１〜５と同様に実験を行った。ノズル抜け誘発本数は、実施例１と同じ確認方法を用いて確認した。
比較例６では、オレイン酸なしでエタノールと純水を添加し、実施例１と同様に実験を行った。ノズル抜け誘発本数は、実施例１と同じ確認方法を用いて確認した。
【００４０】
【表２】
2011201220.tif 000004
【００４１】
表２によれば、オレイン酸の分散剤としてエタノール用いても、ノズル抜け誘発抑制の効果が発現することが分かる。また、表２によれば、オレイン酸のないエタノール添加の比較例６の場合、エタノールによりインク乾燥が促進され、ノズル抜け誘発本数が大幅に悪化することが分かる。
【００４２】
表３は、インク組成と、オレイン酸入りインクを噴射するノズル列（符号○で示す）と、ワイピング後のノズル抜け誘発本数との関係を示す。
比較例７〜１４、実施例１１〜２０では、オレイン酸とオレイン酸カリウムの添加比率を変えて改良ＰＸインクを作製し、実施例１に従いノズル抜け誘発本数を確認した。
【００４３】
【表３】
2011201220.tif 000005
【００４４】
表３によれば、オレイン酸が０．０５ｗｔ％未満だと、ノズル抜け誘発抑制の効果が発現し難くなることが分かる。また、表３によれば、オレイン酸が３ｗｔ％を超えると、分散安定性が低下し、ノズル抜け誘発抑制の効果に悪影響を及ぼすことが分かる。
【００４５】
表４は、インク組成と、オレイン酸入りインクを噴射するノズル列（符号○で示す）と、ワイピング後のノズル抜け誘発本数との関係を示す。
比較例１５〜２２、実施例２１〜３０では、オレイン酸とエタノールの添加比率を変えて改良ＰＸインクを作製し、実施例１に従いノズル抜け誘発本数を確認した。
【００４６】
【表４】
2011201220.tif 000006
【００４７】
表４によれば、分散剤をエタノールに換えても、オレイン酸が０．０５ｗｔ％未満だと、ノズル抜け誘発抑制の効果が発現し難くなることが分かる。また、表４によれば、分散剤をエタノールに換えても、オレイン酸が３ｗｔ％を超えると、分散安定性が低下し、ノズル抜け誘発抑制の効果に悪影響を及ぼすことが分かる。また、表４によれば、オレイン酸が少なくエタノールが多くなると、インク乾燥が促進され、ノズル抜け誘発本数が大幅に悪化することが分かる。
【００４８】
表５は、インク組成と、オレイン酸入りインクを噴射するノズル列（符号○で示す）と、ワイピング後のノズル抜け誘発本数との関係を示す。
比較例２３〜３０、実施例３１〜４０では、オレイン酸とオレイン酸カリウムの添加比率を変えて改良ＰＸインクを作製し、実施例１に従いノズル抜け誘発本数を確認した。
【００４９】
【表５】
2011201220.tif 000007
【００５０】
表５によれば、オレイン酸カリウムが０．０５ｗｔ％未満だと、オレイン酸の分散安定性が低下し、ノズル抜け誘発抑制の効果に悪影響を及ぼすことが分かる。また、表５によれば、オレイン酸カリウムが３ｗｔ％を超えると、オレイン酸が溶解して油膜が安定せずに、ノズル抜け誘発抑制の効果が発現し難くなることが分かる。
【００５１】
表６は、インク組成と、オレイン酸入りインクを噴射するノズル列（符号○で示す）と、ワイピング後のノズル抜け誘発本数との関係を示す。
比較例３１〜３８、実施例４１〜５０では、オレイン酸とエタノールの添加比率を変えて改良ＰＸインクを作製し、実施例１に従いノズル抜け誘発本数を確認した。
【００５２】
【表６】
2011201220.tif 000008
【００５３】
表６によれば、エタノールが０．０５ｗｔ％未満だと、オレイン酸の分散安定性が低下し、ノズル抜け誘発抑制の効果に悪影響を及ぼすことが分かる。また、表６によれば、エタノールが３ｗｔ％を超えると、オレイン酸が溶解してオレイン酸の油膜が安定せずに、ノズル抜け誘発抑制の効果が発現し難くなることが分かる。
【００５４】
表７は、インク組成と、オレイン酸入りインクを噴射するノズル列（符号○で示す）と、ワイピング後のノズル抜け誘発本数との関係を示す。
実施例５１では、ＰＸインクを、ＥＰＳＯＮ製プリンターＥＰ−８０２Ａに用いられている水性染料インクに変更した。
（染料インクの製造方法）
オレイン酸とオレイン酸カリウムと純水を、２：３：５の比率で攪拌および超音波混合し、オレイン酸分散液を作製した。作製した分散液を、ＥＰＳＯＮ製プリンターＥＰ−８０２Ａに用いられている水性染料インクに、２ｗｔ％添加し、攪拌および超音波分散を行った。
実施例５１では、上記作製したインクを、上記の改造したＥＰＳＯＮ製プリンターＰＸ−Ｂ５００のインクカートリッジに入れ、ノズル抜け誘発本数は、実施例１と同じ確認方法を用いて確認した。
比較例３９では、ＥＰＳＯＮ製プリンターＥＰ−８０２Ａに用いられている水性染料インクを上記の改造したＥＰＳＯＮ製プリンターＰＸ−Ｂ５００のインクカートリッジに入れ、ノズル抜け誘発本数は、実施例１と同じ確認方法を用いて確認した。
【００５５】
【表７】
2011201220.tif 000009
【００５６】
表７によれば、染料水性インクにおいても、ノズル抜け誘発抑制の効果が発現することが分かる。
【００５７】
表８は、インク組成と、オレイン酸入りインクを噴射するノズル列（符号○で示す）と、ワイピング後のノズル抜け誘発本数との関係を示す。
実施例５２、５３では、オレイン酸カリウムを、オレイン酸ナトリウム、エタノールに変更し、ノズル抜け誘発本数は、実施例１と同じ確認方法を用いて確認した。
比較例４０〜４７では、分散剤としてオレイン酸カリウム、エタノールを用い、オレイン酸を、オレイン酸ナトリウム、オレイルアルコール、オレイン酸エチル、ソルビタントリオレエートに変更し、ノズル抜け誘発本数は、実施例１と同じ確認方法を用いて確認した。
【００５８】
【表８】
2011201220.tif 000010
【００５９】
表８によれば、オレイン酸とオレイン酸カリウム、オレイン酸とオレイン酸ナトリウム、オレイン酸とエタノール、の組合せで最も効果があることが分かる。
【００６０】
以上のことから、水性インクにオレイン酸と分散剤との同時添加には、次のような相乗効果がある。
【００６１】
（１）ワイピング助剤
オレイン酸は２０℃における粘度が３５ｍＮ／ｍと高く、かつ、水やインクには溶解しないため、ノズル面に直接塗布すると簡単にノズル詰まりを引き起こしてしまう。
本発明では、オレイン酸と、オレイン酸カリウムまたはオレイン酸ナトリウムまたはエタノールとの水溶液の状態だと、水分が蒸発した時に、オレイン酸が単分子膜に近い油膜状態となるためノズル詰まりを起こさないことを見出した。また、グリセリンのようにワイパーに塗布するワイピングの助剤として効果がありながら、インク中に添加しても効果があることを見出した。
【００６２】
（２）ワイピングによるノズル誘発の抑制
オレイン酸は親油性でワイパーブレードのゴムやプラスチックスと相性が良く、かつ撥水性でもある。よって、ワイパーブレード上にオレイン酸が残りやすく、かつ水性インクが残っていても水分が蒸発してインク表面にオレイン酸が液体単分子膜に近い油膜状態で析出している。そのため、ワイパーブレード上にインクの存在部分と無い部分があったとしてもほぼ均一な撥水性を有し、ノズルの中から一部だけインクを引き出したりすることがなく、ノズル抜けの誘発を起こしにくくなる。
【００６３】
（３）ワイピングによるブレードとヘッドの長寿命化
オレイン酸は潤滑剤でもあるため、ワイパーブレードとヘッドの摩擦抵抗を低減し、ワイピング機構の長寿命化の効果がある。
【００６４】
（４）オレイン酸が入っていないインクのノズルのノズル抜け誘発低減
上記のように、１色でもオレイン酸を分散させたインクを用いたインクジェットヘッドは、ワイパーにオレイン酸が残るため、オレイン酸を含まない他の色のノズルも含めてワイピングによるノズル抜け誘発が大幅に低減する。
【００６５】
（５）オレイン酸を含むインク
ワイピング動作でワイパーブレードに最初に当接するノズルのインクに、オレイン酸が含まれていると、オレイン酸を含まない他のノズルのノズル抜け誘発の低減に優れた効果がある。
また、ブラックインクは、印字頻度やワイピング頻度が高く、かつ他の色のノズルに引き込まれ、混色するとフラッシングやクリーニングが必要となってしまうため、ブラックインクにオレイン酸が含まれていると大きな効果がある。
【００６６】
（６）親油性のオレイン酸の分散安定化
水中やインク中で安定分散しない親油性のオレイン酸であるが、親水性の脂肪酸カリウム又は脂肪酸ナトリウム、あるいはエタノールを同時添加すると、水中で安定分散することがわかった。
なお、オレイン酸カリウムやオレイン酸カリウムだけの水溶液では、オレイン酸の油膜はできない。親油性のオレイン酸であるが、親水性のオレイン酸カリウム又はオレイン酸ナトリウム、あるいはエタノールの同時添加によって、油膜形成と安定分散が両立する相乗効果が発現する。
【００６７】
（７）脂肪酸の酸化安定性とオレイン酸
多くの不飽和脂肪酸は酸化されやすい。それは２重結合が２つ以上あって、２重結合に挟まれたメチレン水素が引き抜かれて容易に酸化されるからである。リノール酸やリノレイン酸がそれに当てはまる。２重結合が１つの不飽和脂肪酸は、メチレン水素がないため大幅に酸化安定性がある。オレイン酸がそれに当てはまる。
【００６８】
（８）脂肪酸の融点とオレイン酸
脂肪酸がノズル面上に析出した場合、脂肪酸が液体であると、ノズル詰りの確率が低下する。常温で、液体で二重結合が一つ以下の脂肪酸としてはオレイン酸がある。酸化安定性のある飽和脂肪酸は常温で固体のものが多くインク中への添加には向かないものが多い。よって、オレイン酸であることが好まれる。
【００６９】
（９）オレイン酸カリウム又はオレイン酸ナトリウム
水中で脂肪酸がインク中で安定分散するには、１価の金属イオンの金属石鹸であることが望まれる。２価のイオンが多くあると析出沈澱の懸念があるからである。また、インク中で脂肪酸と金属脂肪酸を同時に溶解・分散させた時、同種類の脂肪酸を用いると、その区別がつかなくなり、脂肪酸の増量と安定分散の両立という相乗効果が発現できる。特に、オレイン酸と、オレイン酸カリウム又はオレイン酸ナトリウムを同時添加したときに効果が大きくなる。
【００７０】
以上のように、本発明によれば、簡易且つ安価にワイピング動作の際のノズル抜け誘発を抑制することが可能となる。
【符号の説明】
【００７１】
１…プリンター（インクジェット式記録装置）、２…記録ヘッド（インクジェットヘッド）、６…記録紙（記録媒体）、１１…メンテナンスユニット（ワイピング装置）、１３…ワイパーブレード（ワイプ部材）、１６…ノズル列、１７…ノズル、２１Ａ…ノズル面
【図１】
2011201220.tif 000011
【図２】
2011201220.tif 000012
【図３】
2011201220.tif 000013
【図４】
2011201220.tif 000014